(57)【特許請求の範囲】
【請求項１】
パッドであって、
それぞれが、対向する縁部間に延び対向する第１および第２の主表面を有し、スタック内で面を隣り合わせに配置された複数の無折畳可撓性シートと、
前記スタック内にシートを維持するべく前記スタック内の隣接する前記シートの主表面の部分を相互に着脱自在に接着するパジング手段とを含み、前記パジング手段は前記縁部に近接して前記主表面上に所定パターンの共接着剤が塗布された少なくとも数枚の前記シートからなり、該所定パターンの共接着剤は、前記スタック内の隣接するシート上の所定パターンの共接着剤に接着され、前記所定パターンの共接着剤が引き剥がされるまで前記スタック内の隣接するシートの主表面の前記部分を面が隣り合うようにして相互に着脱自在に接着する、パッド。
【請求項２】
少なくとも数枚の前記シートは、前記対向する縁部の１つに近接して前記第１の主表面上に塗布された共接着剤の第１のバンドと、前記対向する縁部の１つに近接して前記第２の主表面上に塗布された共接着剤の第２のバンドとを含む共接着剤のパターンを有する、請求項１に記載のパッド。
【請求項３】
前記シートの各々の共接着剤の前記第１および第２のバンドが、前記対向する縁部のうちの同一の縁部に近接して塗布される、請求項２に記載のパッド。
【請求項４】
前記シートの各々の共接着剤の前記第１のバンドが前記対向する縁部の一方に近接して塗布され、前記シートの各々の共接着剤の前記第２のバンドが前記対向する縁部の他方に近接して塗布される、請求項２に記載のパッド。
【請求項５】
シートからなるパッドを形成する方法であって、
一枚のシート材料の両方の主表面に所定パターンの共接着剤を塗布するステップと、
共接着剤を塗布された一枚のシート材料を、パッド内でシートを相互に着脱自在に接着する共接着剤塗布部分をシート上に備えた複数のパッドに転換するステップと、を含む方法。
【発明の詳細な説明】
技術分野
本発明は、可撓性シートのパッドに、およびシート材料からそのようなパッドを製造する方法に関する。
背景技術
しばしばスクラッチパッド（はぎ取り式メモ用紙）、またはメモ書きパッドと呼ばれる可撓性シートのパッドは、様々な寸法、様々な枚数のシート、および矩形および他の周囲形状を含む異なる外形で長年利用されてきた。そのようなパッドのシートには、任意に、例えば、個人、会社、または団体の名前を含む、または個人または営業で使用されるべく書式（架電事項を伝えるのに記入できる書式、または製品を発注、または図を描くのに記入できる書式）を提供できる線、絵、または様々な記述された情報を含むしるしを印刷できる。
このようなパッドは、印刷または未印刷の大きなマスターシートを形成し、これらのマスターシートを、最底端シートとして丈夫な裏地シートを備えたマスターパッドに一緒に組み込み、せん断機またはダイを使用してマスターパッドから所望寸法の複数のパッドを切断し、次にパッドの縁表面に沿ってパジングコンパウンド（例えば、水性または有機溶剤をベースにしたパジングコンパウンドまたはホットメルト接着剤パジングコンパウンド）を塗布することによってしばしば製造される。それで、個々のシートは、パッドの最上部からそれらをパジングコンパウンドから引き剥がすことによって取り外すことができる。幾つかのこのようなパッド（一般に略立方体形状のパッドを形成する大量のシートの）では、広告または装飾などの目的のグラフィックがパッドのシートの露出した縁に沿って、およびパッドのシートを合わせて接着するパジングコンパウンドに沿って印刷される。そのような印刷は、シートの縁に沿ったものとパジングコンパウンドに沿ったものとの間で異なる外観を有することとなり、望ましくない。
パッド内でシートを合わせて接着する感圧接着剤のバンドをシートの縁に近接した主表面上に有する可撓性シートのパッドは、ミネソタ州、セントポールのMinnesota Mining and Manufacturing Company社から商標名「Post-it」（ＴＭ）ブランドで長年市販されている。このようなパッドは、スタックの片側表面に位置するシートの縁の全体に沿って再貼付可能な感圧接着剤のバンドを備えている。さらに、そのようなパッドは、米国特許第４，７８１，３０６号（スミス「Smith」）で教示されるようにパッドの反対側の表面に沿ってパッドの各連続シート上に感圧接着剤のバンドを備えている。この後者のパッド構造は、米国特許第４，７８１，３０６号（スミス「Smith」）、第４，６５３，６６６号（マーティンズ「Mertens」）、および第５，０８０，２５５号（ウインドウスキー「Windorski」）で記述されたタイプのディスペンサーからの、そのようなパッドのシートの取り出しを容易にする。これらのタイプのいずれのパッドも、それらの側部表面の全体に沿ってシートの縁に印刷されたグラフィックを持たせることができ、これらのグラフィックはパッドの側面全体に同一の外観を持たせることができる。そのようなパッドのシート上に感圧接着剤のバンドを提供するには、パッドに対する費用が増すが、ある目的に対しては、パッドから取り外されるシート上の感圧接着剤のバンドが不必要となる、または不都合とさえなる。
発明の開示
本発明は、可撓性シート（例えば、紙または高分子のシート）を提供し、これは、パジングコンパウンドを使用して形成される上述の従来技術のパッドと同様、安価に製造でき、ほとんどの通常表面に接着する接着剤のバンドを備えていないシートからそれを取り外すことができると共に、これは、これら従来技術のパッドと異なり、必要な場合には、スタックの側面全体に印刷されてこれらの側面に均質な外観を提供でき、米国特許第４，７８１，３０６号（スミス「Simth」）、第４，６５３，６６６号（マーティンズ「Mertens」）、および第５，０８０，２５５号（ウインドウスキー「Windorski」）で記述されたタイプのディスペンサーから取り出されるようにも適応できる。
本発明によれば、可撓性シートのスタックを含むパッド、およびシートがパッドから引き剥がされるまでスタック内の隣接するシートの主表面の部分を合わせて着脱自在に接着するパジング手段が提供される。このパジング手段は、シートの主表面上に塗布され、スタック内の隣接シート上の共接着剤のパターンに接着した共接着剤のパターンを有する少なくとも数枚のシートを含み、共接着剤のパターンが引き剥がされるまでこれらの隣接シートの主表面の部分を合わせて面を隣り合わせに着脱自在に接着させる。
ここで使用される場合の用語「共接着剤」は、紙または高分子材料の第１のシートの主表面に薄膜層で接着され、乾燥される場合、（１）その表面に接着したままとなり、（２）人の指を含むほとんどの他の材料と接触しても接着せず、（３）第２の基材の主表面上の同接着材料の薄膜層に着脱自在に接着し、（４）両方のシートが最初に接着されたシートの主表面上にそれらのほとんどの接着材料が残った状態で第２の基材上の薄膜層から引き剥がすことができる接着材料を意味する。そのような共接着材料の例は、商標名＃Ｗ−５９３で、ミネソタ州、セントポールのH.B.Fuller,Co.,社から市販されている天然ラテックス接着剤である。
故に、共接着剤のパターンは、パッド内でシートを合わせて接着できるが、共接着剤のこれらのパターンは、ほとんどの他の表面と容易に接着しないので、これらのシートは、パッドから取り外された後はほとんどの表面と接着した状態とはならない。但し、共接着剤のこれらのパターンは、共接着剤の他のパターンに再接着できるので、必要な場合には、パッドからのシートをパッドから取り外した後に再び元の位置に再接着できる。
共接着剤のパターンは、円形、矩形などの任意の形状であっても良く、細長いストライプまたはバンド（例えば、３／３２〜１／２インチ幅）として塗布される場合に特に有用となるシートの接着剤の中央部分を含む、多くの異なる形状であっても良い。シートの両主表面に沿ってシートを有するパッド内の数枚または全てのシートは、それぞれがそれらの第１の主表面上に共接着剤の第１のバンドを有することができ、それらの第２の主表面上に共接着剤の第２のバンドを有することができ、それらの両バンドは同縁に近接している。これは、全てのシートがパッドの同側部表面に沿ってパッドに束ねられる典型的なパッドとなる。
代わりに、シートの両主表面に沿ってシートを有するパッド内の数枚または全てのシートは、それぞれが一方の縁に近接してそれらの主表面の一方に共接着剤の第１のバンドを有することができ、第２の対向する縁に近接してそれらの他方の主表面上に共接着剤の第２のバンドを有することができる。これは、パッドが、米国特許第４，７８１，３０６号（スミス）、第４，６５３，６６６号（マーティンズ）、第５，０８０，２５５号（ウインドウスキー）記載のタイプのディスペンサーに収容されている場合に逐次取り出すことができるシートの、米国特許第４，７８１，３０６号（スミス）に記載されたタイプとほぼ同じパッドの形となる。
本発明による任意のそのようなタイプのパッドは、シートの縁によって画定される複数の側部表面を有する。パッド内に大量枚数のシートがある場合、これらの側部表面のそれぞれは、シートの縁に印刷されたグラフィックを有することができるので、パッドの側部表面の全てが同じような外観となり、例えば広告目的に使用される立方形状のパッドには望ましいものとなる。
本発明によるパッドのパジング手段は、スタック内の隣接するシートの主表面の部分を合わせて着脱自在に接着してシートをスタック内に維持するシートの主表面の一方にバンドまたは他のパターンの感圧接着剤を有する数枚のシートを含めることもできる。例えば、スタックの頂部から底部までのスタック内の隣接するシートの交互の対は、共接着剤の２つのバンドと、感圧接着剤の１つのバンドとによってそれぞれ合わせて接着できる。その場合、（１）共接着剤のこれらのバンド、および感圧接着剤のこれらのバンドは、より従来型に近いパッドを提供するスタックの同じ側の縁に沿い、または（２）共接着剤のこれらのバンドは、パッドからシートを上述のディスペンサーを介して小出しされるようにできる感圧接着剤のこれらのバンドからスタックの対向側の縁に沿うこととなる。
【図面の簡単な説明】
本発明を添付の図を参照してさらに説明するが、数図面を通じて同一部分には同一参照符号を付す。
第１図は、本発明による可撓性シートのパッドの第１の実施例の斜視図である。
第２図は、第１図のパッドの一部を大きく拡大した、縮尺していない概略側面図である。
第３図は、本発明によるパッドの第２の実施例の概略図である。
第４図は、本発明によるパッドの第３の実施例の概略側面図である。
発明を実施するための最良の形態
図の第１および第２図を参照して、参照符号１０により概略的に示される本発明によるシートのパッドの第１の実施例が示される。
一般にパッド１０は、同周囲寸法および形状の複数の無折畳可撓性シート１１（例えば、紙または高分子材料のシート）を含み、各シート１１は第１および第２の対向する縁１４、１５間で延在する対向する第１および第２の主表面１２、１３を有する（第２図参照）。これらのシート１１は、周囲の縁を揃えて一枚ずつ上に重ねてスタック状に配置される。シート１１のそれぞれは、任意に、その主表面１２、１３のいずれかまたは両面上に印刷されたグラフィック１７を有することができる。パッド１０には、パッド１０内の隣接するシート１１の第１および第２の主表面の部分を合わせて着脱自在に接着してスタック内にシート１１を維持するパジングを含む。このパジング手段は、シート１１のそれぞれがその第１の縁１４に近接して第１の主表面１２上に共接着剤のパターンまたは第１のバンド１８ａを有し、その第１の縁１４に近接して第２の主表面１３上に共接着剤のパターンまたは第２のバンド１８ｂを有することを含む。これらのシート１１は、パッド１０内のシート１１上の共接着剤のバンド１８ａ、１８ｂに接着された主表面１２、１３に沿って２つの他のシート１１を有する各シート１１の共接着剤のバンド１８ａ、１８ｂと一緒に積み重ねられて、パッド１０内の隣接シート１１の第１および第２の主表面１２、１３の部分を合わせて着脱自在に接着し、パッド１０内にシート１１を維持する。シート１１上の合わせて接着された共接着剤のバンド１８ａ、１８ｂは、共接着剤のバンド１８ａ、１８ｂが引き剥がされるまで隣接シート１１を面を隣り合わせにして保持する。
示されるように、パッド１０には、スタック内の最底部シート１１の共接着剤のバンド１８ｂに接着された共接着剤のバンド１８ｃを有する堅い底部シート１６を含めることもでき、任意に、スタック内の隣接最上部シート１１上の共接着剤のバンド１８ａに接着された共接着剤のバンドを有する特別頂部シート（図示せず）を持たせることもできる。
パッド１０は、一般に立方体の形状（第１図参照）であり、シート１１の縁によって画定された複数の、または４つの側部表面を有する。これらの４つの側部表面のそれぞれには、任意に、示されるように、シート１１の縁にグラフィック１９で印刷できる。パッド１０のパジング手段がパッド１０の側部表面の１つに沿ってではなくパッド１０内のシート１１間にあるので（後述される他のスタックと同様）、これらのグラフィック１９は、必要な場合、パッド１０の全ての側部表面で同一の外観を持たせることができる。
第３図を参照して、参照符号２０により一般に示される本発明によるシートのパッドの第２の実施例が示される。
一般に、このパッド２０は、同周囲寸法および形状の複数の無折畳シート２１を含み、各シート２１は、第１および第２の対向する縁２４、２５の間で延在する対向する第１および第２の主表面２２、２３を有する。シート２１のそれぞれは、任意に、その主表面２２、２３のいずれかまたは両方に印刷されたグラフィック２７を持たせることができる。これらのシート２１は、それらの縁を揃えて、一枚ずつ他のシートの上に積み重ねて配置される。このパッド２０には、パッド２０内の隣接シートの第１および第２の主表面２２、２３の部分を合わせて着脱自在に接着し、スタック内にシート２１を維持するためのパジング手段を含む。このパジング手段は、シート２１のそれぞれが、その第１の縁に近接した第１の主表面２２上に塗布された共接着剤のパターンまたはバンド２８ａを有し、その第２の縁２５に近接した第２の主表面２３上の共接着剤のパターンまたはバンド２８ｂを有することを含む。これらのシート２１は、パッド２０内の隣接シート上の共接着剤のバンド２８ａ、２８ｂに接着され、パッド２０内の隣接シート２１の第１および第２の主表面２２、２３の部分を合わせて着脱自在に接着してスタック内にシート２１を維持する主表面２２、２３の両方に近接したシート２１を有するシート２１上の共接着剤のバンド２８ａ、２８ｂと一緒に積み重ねられる。シート２１上の共接着剤の合わせて接着されたバンド２８ａ、２８ｂは、共接着剤のバンド２８ａ、２８ｂが引き剥がされるまで隣接シート２１を面を隣り合わせにして保持する。パッド２０は、示されるように、スタック内の最底部シート１１上の共接着剤のバンド２８ｂに接着された共接着剤のバンド２８ｃを有する堅い底部シート２６を含めることもでき、任意に、スタック内の隣接する最上部シート２１上の共接着剤のバンド１８ａに接着された共接着剤のバンドを有する特別頂部シート（図示せず）を持たせることもできる。
合わせて接着されるパッド２０内の隣接シート２１の部分の位置は、パッド２０内のシート２１の連続した対に対してパッド２０の対向側の間で互い違いになる。故に、パッド２０は、パッド２０からのシート２１が、米国特許第４，７８１，３０６号（スミス）、第４，６５３，６６６号（マーティンズ）、第５，０８０，２５５号（ウインドウスキー）記載のタイプのディスペンサーに収納されている場合には逐次取り出すことができるような、米国特許第４，７８１，３０６号（スミス）に記載されたタイプとほぼ同様のものとなる。
第４図を参照して、参照符号３０によって示された本発明によるパッドの第３の実施例が示される。
一般に、パッド３０は、同周囲寸法および形状の複数の無折畳シート３１ａ、３１ｂを含み、各シート３１ａ、３１ｂは、第１および第２の対向する縁３４、３５の間で延在する対向する第１および第２の主表面３２、３３を有する。シート３１ａ、３１ｂのそれぞれは、任意に、その主表面３２、３３のいずれかまたは両方に印刷されたグラフィック３７を持たせることができる。これらのシート３１ａ、３１ｂは、それらの縁を揃えて、一枚ずつ他のシートの上に積み重ねて配置される。このパッド３０には、パッド３０内の隣接シート３１ａ、３１ｂの第１および第２の主表面３２、３３の部分を合わせて着脱自在に接着し、スタック内にシート３１ａ、３１ｂを維持するためのパジング手段を含む。このパジング手段は、シート３１ａ、３１ｂのそれぞれが、その第１の縁３４に近接して第１の主表面３２上に共接着剤のパターンまたはバンド３８を有することを含む。スタック全体を通じての交互のシート３１ａ、３１ｂは、第１の交互のシート３１ａのそれぞれに対して、第２の縁３５に近接して第２の主表面３３上に感圧接着剤のパターンまたはバンド３７を有し、第２の交互のシート３１ｂのそれぞれに対して、第２の縁３５に近接して第２の主表面３３上に剥離材料の塗布部４０を有する。これらのシート３１は、合わせて接着された隣接シート３１上の共接着剤のバンド３８と、剥離材料の塗布部４０上に第２の交互のシート３１ｂに接着された感圧接着剤のバンド３７とで積み重ねられ、それによりスタック内の隣接シート３１ａ、３１ｂの第１および第２の主表面３２、３３の部分を合わせて着脱自在に接着してスタック３０内にシート３１ａ、３１ｂを維持する。シート３１ａ、３１ｂ上の共接着剤の合わせて接着されたバンド３８、および剥離材料の塗布部４０上に接着された感圧接着剤のバンド３７は、共接着剤のバンド３８が引き剥がされる、または感圧接着剤のバンド３７が引き剥がされるまで隣接シート３１ａ、３１ｂを面を隣り合わせに保持する。
パッド３０は、示されるように、隣接シート３１ｂ上の感圧接着剤のバンド３７が接着される堅い底部シート３６を含めることもでき、任意に、スタック内の隣接最上部シート３１に適切に着脱自在に接着された特別頂部シート（図示せず）を持たせることもできる。
合わせて接着されるパッド３０内のシート３１ａ、３１ｂの部分の位置は、パッド３０内のシート３１ａ、３１ｂの連続した対に対してパッド３０の対向側の間で互い違いになる。故に、パッド２０と同様、パッド３０は、パッド３０からのシート３１ａ、３１ｂが、米国特許第４，７８１，３０６号（スミス）、第４，６５３，６６６号（マーティンズ）、第５，０８０，２５５号（ウインドウスキー）記載のタイプのディスペンサーに収容されている場合に逐次取り出すことができるような、米国特許第４，７８１，３０６号（スミス）に記載されたタイプとほぼ同様のものとなる。
スタック内のシートの交互の対が隣接シート上の共接着剤のパターンまたはバンドと、感圧接着剤のバンドとによって合わせて着脱自在に接着されるパッド３０と同様のパッド（図示せず）は、共接着剤のバンドと感圧接着剤のバンドとがシートの縁に沿ってスタックの同じ側にくるように製造できる。
上述のパッド１０、２０、３０などのパッドは、（１）接着剤の連続層またはバンドを提供する従来のストライプ塗布設備を使用して行うことができる共接着剤の適切なパターン（または共接着剤、感圧接着剤、および剥離材料のパターン）で一枚のウエブまたはシート材料の両側表面を塗布する、または接着剤または剥離材料の非連続層を提供できるフレキソまたはオフセット印刷機を使用してシート材料に接着剤または剥離材料のパターンを印刷し、（２）シート上の共接着剤の、または共接着剤および再貼付可能な感圧接着剤の塗布部分がパッド内でシートを合わせて着脱自在に接着するパッド１０、２０、３０などの複数のパッドに接着剤で塗布した一枚のシート材料を転換することによって製造できる。
パッドを製造するこの転換ステップは、接着剤で塗布した一枚の移動するシート材料を所定寸法のマスターシートに切断し、新たに切断されたマスターシートをマスターシートのスタック上に落下させてマスターパッドを形成しながら、マスターパッド内の他のマスターシートの縁とその縁が揃うように落下するマスターシートを少し動かし、せん断機またはダイ切断装置を使用してマスターパッドを個々のパッド（１０、２０、３０などの）に連続して切断することによって行うことができる。
パッドを製造する上述の方法には、（ａ）シート材料が印刷機を通過するとその長さに沿ってしるしを印刷するように適応された印刷プレートを有する印刷機、または（ｂ）シート材料が印刷機構を通過すると、印刷機構への一連のデジタル電子信号に応じて一枚のシート材料に沿って無限に変化できるしるしを印刷するように適応されたデジタル電子印刷機構のいずれかを準備し、移動する一枚のシート材料を（ａ）印刷機を通過させることによってパッド内のシートの一方または両方の表面にしるしを印刷する、または（ｂ）印刷機構に一連のデジタル印刷信号を送ると同時に印刷機構を通過させることによっても、印刷機構が一枚のシート材料の片面または両面のいずれにも様々なしるしを印刷することができる。一枚のシート材料のこのような印刷は、接着剤での塗布前または後のいずれの場合でも行うことができる。
移動するシート材料の接着剤塗布および印刷、マスターシートの切断、マスターパッドの製造、続いてマスターパッドを個々のパッドに切断するための上述の方法は、共接着剤の層が、少なくとも数枚のシートの両主表面に、上述のパッド１０、２０、３０内のシートに共接着剤のバンドを提供するのに必要なパターンを塗布されることを除いて、１９９４年８月４日にファイルされた米国特許出願内０８／２８５，８８２号、および１９９４年７月７日付の国際特許公開第Ｗ０９４／１４６１４号に記載のパッドの製造方法とほぼ同様である。
特定の例として、それぞれが５０枚のシートを有するパッド１０のようなパッドは、紙の移動する一枚のシート材料に、天然ラテックス、または＃ＷＰ５９３として、ミネソタ州、セントポールのH.B.Fuller Co.,社市販の「fugitive」接着剤の薄膜連続層またはバンドを適用することによって製造されている。このバンドは、約０．２４センチメートル（３／３２インチ）幅で、一枚のシートがフレキソウエブ印刷機でしるしが印刷された後に適用された。マスターシートは、プレスシーターによって移動印刷され、接着剤で塗布された長さの端部から切断され、次にマスターシートの縁がマスタースタック内で０．０１５の範囲内で整列するように米国特許第４，１０２，２５３号に記載の装置と同一のものによってマスターパッドを形成するべく先に切断されたマスターシートと一緒に積み重ねられた。マスターパッドは、次に取り出され、切断されるマスターパッドの部分に１インチ当たり２，０００ポンドの保持圧力をかけて、約０．１２センチメートル幅（３／６４インチ幅）のバンドが個々のパッド内でシートを合わせて接着できるように、接着剤のバンドを長手方向に二分するように切断するギロチン切断機で個々のパッドに切断される。共接着剤のこれらのバンドは、パッドが通常に取り扱われる場合にはシートを適所に保持したが、個々のシートはパッドの頂部から容易に剥離されるようにすることができた。シートがパッドから取り出された後、シートの共接着剤のバンドは、ほとんどの他の表面に接着しない、但し、必要な場合、このシートは、接着剤のそれらのバンドを合わせて押し付けることによってパッド内の他のシートに再度接着され得る。
１００枚を越えるシートを含むパッド１０のようなパッドまたは立方体は、共接着剤がパッド内の各シート上の約１．２７センチメートル（１／２インチ）幅のバンドでシートに適用されるべきであり、このような大量枚数のシートを長手方向に切断するのはカッターの切断作用を妨げ得るので、ギロチン切断機での切断が接着剤のバンドの間またはそれらを横切るように（長手方向に二分しない）切断されることを除いて、同方法によって製造できる。この幅の共接着剤のバンドは、パッドまたは立方体を通常に取り扱う場合にはシートを適所に保持するが、個々のシートをパッドの頂部から容易に剥離できるようにもする。シートがパッドから取り出された後、シート上の共接着剤のバンドは、ほとんどの他の表面に接着しない。但し、必要な場合には、シートは、共接着剤のそれらのバンドを合わせて押し付けることによってパッド内の他のシートに再度接着されるようにできる。
それらの表面に何のしるしも印刷していないマスターパッドおよび個々のパッドは、上述の塗布、マスターシートの切断、マスターパッドの微調整および切断を行うための設備を用いて製造できる。印刷済みまたは未印刷のシートのマスターロールは、プリンターを（適宜に）用いてまたは用いないで上述の接着剤の塗布を行い、次にロールの端部がシートの対向する縁と揃う軸の周りで印刷済みまたは未印刷のシートをロールに巻くための設備を使用して製造できる。このようなロールは、上述した方法で同様に、次の印刷（未印刷の場合）や、マスターシート、マスターパッド、および個々のパッドへの次の転換を行うために他の場所に格納、および／または出荷できる。
本発明による構造や方法を幾つかの実施例およびそれらの修正を参照して説明してきたが、ここで説明した構造や方法に数多くの変形が本発明の範囲を逸脱することなく実行可能であることは当業者には理解されよう。故に、本発明の範囲は、構造や方法の請求の範囲およびこれらの均等なものに関する言語によって説明された構造および方法による以外、本願で特定的に説明された構造や方法に限定されるものではない。
【図１】
0003858082.tif 000002
【図２】
0003858082.tif 000003
【図３】
0003858082.tif 000004
【図４】
0003858082.tif 000005